(57)【要約】【課題】上側筐体と下側筐体とを連結するヒンジ部にセキュリティスロットを配置し、そのヒンジ部にケーブルを通す構成でありながら、さらなる小型化を実現する。【解決手段】２つのヒンジ部３０ａ，３０ｂの一方には、アンテナ１４を無線通信制御手段６０に接続させるアンテナ用ケーブル５３が、該ヒンジ部を被装する外装部材１２ａの内側を通すように設けられる。２つのヒンジ部３０ａ，３０ｂの他方には、他の機能部を制御手段６０に接続させる制御用ケーブル５１，５２が、該ヒンジ部を被装する外装部材１２ａの内側を通すように設けられる。アンテナ用ケーブル５３は、制御用ケーブル５１，５２よりも外径が細く、アンテナ用ケーブル５３が設けられるヒンジ部３０ａにおける軸方向の外側側面に、機器外部の施錠装置２００により錠止させるためのセキュリティスロット２５が設けられる。【選択図】図５
2014085970.tif 000002
【特許請求の範囲】
【請求項１】
上側筐体と下側筐体とが、軸方向が同一である２つのヒンジ部により開閉可能に連結されて構成された電子機器であって、
前記上側筐体には、無線通信用のアンテナと、他の機能部とが設けられ、
前記下側筐体には、制御手段と、無線通信制御手段とが設けられ、
前記２つのヒンジ部には、それぞれ該ヒンジ部を被装する外装部材が設けられ、
前記２つのヒンジ部の一方には、前記アンテナを前記無線通信制御手段に接続させるアンテナ用ケーブルが、該ヒンジ部を被装する外装部材の内側を通すように設けられ、
前記２つのヒンジ部の他方には、前記他の機能部を前記制御手段に接続させる制御用ケーブルが、該ヒンジ部を被装する外装部材の内側を通すように設けられ、
前記アンテナ用ケーブルは、前記制御用ケーブルよりも外径が細く、
前記アンテナ用ケーブルが設けられるヒンジ部における軸方向の外側側面に、機器外部の施錠装置により錠止させるためのセキュリティスロットが設けられたことを特徴とする電子機器。
【請求項２】
前記２つのヒンジ部は、当該ヒンジ部の軸方向における前記上側筐体および前記下側筐体の両端に設けられ、
前記両端のヒンジ部の間を含む部分にバッテリが配置され、
前記２つのヒンジ部は、前記バッテリよりも軸方向における外側に配置されたことを特徴とする請求項１記載の電子機器。
【請求項３】
前記２つのヒンジ部のそれぞれは、前記上側筐体に連設された上側ヒンジ片と、前記下側筐体に連設された下側ヒンジ片とが回動可能に連結されて構成され、
前記アンテナ用ケーブルが設けられるヒンジ部における上側ヒンジ片の軸方向の外側側面に、前記セキュリティスロットを開設するための錠止片が凸設されたことを特徴とする請求項１または２記載の電子機器。
【請求項４】
前記上側筐体に設けられる前記他の機能部は、表示手段と、撮像手段とを含み、
前記制御手段は、
前記表示手段による表示制御を行う表示制御手段と、
前記撮像手段による撮像制御を行う撮像制御手段と、を含み、
前記制御用ケーブルは、
前記表示手段を前記表示制御手段に接続させる表示用ケーブルと、
前記撮像手段を前記撮像制御手段に接続させる撮像用ケーブルと、を含み、
前記アンテナ用ケーブルは、前記表示用ケーブルよりも外径が細く、かつ、前記撮像用ケーブルよりも外径が細いことを特徴とする請求項１から３の何れか１項に記載の電子機器。
【請求項５】
前記制御手段と、前記無線通信制御手段とが設けられるマザーボードを備え、
前記マザーボードよりも前記２つのヒンジ部の軸方向における前記セキュリティスロットが設けられる側に、第１サブ基板および第２サブ基板が設けられ、
前記第１サブ基板には、メモリが挿抜可能に設けられ、
前記第２サブ基板には、前記電子機器の電源スイッチが設けられたことを特徴とする請求項１から４の何れか１項に記載の電子機器。
【発明の詳細な説明】
【技術分野】
【０００１】
本発明は、例えばワイヤ錠など、盗難防止用の施錠装置を機器外部から取り付けて錠止するためのセキュリティスロットが設けられた電子機器に関する。
【背景技術】
【０００２】
一般に、例えばノート型コンピュータなどの電子機器本体の盗難を防止するため、所定形状のセキュリティスロットを設け、ワイヤ錠などの施錠装置をこのセキュリティスロットに取り付けて錠止できるようにする構成が知られている。
【０００３】
ワイヤ錠は、容易には切断されないワイヤや、報知器に導通された電気ケーブルが設けられ、デスク等にワイヤを結合固定したり、デスク等に固定された報知器に電気ケーブルを結合固定しておくことで、電子機器本体を持って行くことができないようにするものである。
【０００４】
また、近年、電子機器の小型化が進むと共に、電子機器側面には多種類のコネクタや、ディスクドライブなどを配置するスペースを設けることが求められている。このため、電子機器の側面スペースをなるべく有効に活用するため、セキュリティスロットをヒンジ部に配置した機器が知られている。
【０００５】
また、ヒンジ機構の下にキーロック機構を設けることで、ワイヤ錠による施錠と連動してヒンジ機構を開閉不能にし、ヒンジ部により連結される上側筐体と下側筐体を閉状態のままとさせる機器が知られている（例えば、特許文献１参照）。
【先行技術文献】
【特許文献】
【０００６】
【特許文献１】特許第３０３７２８５号公報
【発明の概要】
【発明が解決しようとする課題】
【０００７】
しかしながら、ヒンジ部は、上側筐体と下側筐体とを連結する部分であるため、この上側筐体と下側筐体とを接続させるための各種のケーブルを、ヒンジ部経由で通す必要がある。すなわち、ヒンジ部を被装する外装部材の内側に、これらの各種のケーブルを通し得るだけの十分な空間を確保した構成とする必要がある。
さらに、ヒンジ部は上側筐体と下側筐体とを開閉可能に連結する可動部であるため、十分な信頼性を確保して開閉動作できるようにするための空間も必要となる。
【０００８】
電子機器の小型化に向けた開発競争の中で、機器全体を小型化しつつ、それでいてヒンジ部としての構造的強度や開閉動作の信頼性も十分に確保し、なおかつ機器側面にはコネクタを配置するためのスペースも十分に確保することが求められていた。
【０００９】
さらに、例えばノート型コンピュータの場合、上側筐体と下側筐体とを連結する２つのヒンジ部の間にバッテリが設けられる構成が一般的であり、このバッテリはなるべく大容量化が求められている。このため、ヒンジ部のスペースはさらに小さくすることが求められていた。
【００１０】
また、上述した特許文献１のものは、こうしたヒンジ部のスペースをさらに小型化することについてまで考慮されたものではなかった。
【００１１】
本発明はこのような状況に鑑みてなされたものであり、上側筐体と下側筐体とを連結するヒンジ部にセキュリティスロットを配置し、そのヒンジ部にケーブルを通す構成でありながら、さらなる小型化を実現することができる電子機器を提供することを目的とする。
【課題を解決するための手段】
【００１２】
かかる目的を達成するために、本発明に係る電子機器は、上側筐体と下側筐体とが、軸方向が同一である２つのヒンジ部により開閉可能に連結されて構成された電子機器であって、上側筐体には、無線通信用のアンテナと、他の機能部とが設けられ、下側筐体には、制御手段と、無線通信制御手段とが設けられ、２つのヒンジ部には、それぞれ該ヒンジ部を被装する外装部材が設けられ、２つのヒンジ部の一方には、アンテナを無線通信制御手段に接続させるアンテナ用ケーブルが、該ヒンジ部を被装する外装部材の内側を通すように設けられ、２つのヒンジ部の他方には、他の機能部を制御手段に接続させる制御用ケーブルが、該ヒンジ部を被装する外装部材の内側を通すように設けられ、アンテナ用ケーブルは、制御用ケーブルよりも外径が細く、アンテナ用ケーブルが設けられるヒンジ部における軸方向の外側側面に、機器外部の施錠装置により錠止させるためのセキュリティスロットが設けられたことを特徴とする。
【発明の効果】
【００１３】
以上のように、本発明によれば、上側筐体と下側筐体とを連結するヒンジ部にセキュリティスロットを配置し、そのヒンジ部にケーブルを通す構成でありながら、さらなる小型化を実現することができる。
【図面の簡単な説明】
【００１４】
【図１】本発明の実施形態としてのノート型コンピュータ１００の外観を示す図である。
【図２】該ノート型コンピュータ１００の側面を示す図である。
【図３】図１からトップカバー２１を取り外した状態を示す図である。
【図４】図３のＣ部を示す部分拡大図である。
【図５】（Ａ）ヒンジ部３０ａ周りの構成と、（Ｂ）ヒンジ部３０ｂ周りの構成とを模式的に示す図である。
【発明を実施するための形態】
【００１５】
次に、本発明に係る電子機器をノート型コンピュータに適用した一実施形態について、図面を用いて詳細に説明する。
【００１６】
本実施形態のノート型コンピュータ１００は、図１、図２に示すように、表示部１１が設けられる上側筐体１０と、ＣＰＵなどの主要部品が配置される下側筐体２０とが、軸方向が同一である２つのヒンジ部３０ａ，３０ｂにより開閉可能に連結されて構成される。
【００１７】
上側筐体１０における表示部１１の周囲には、ＣＣＤ（Charge Coupled Device）を有する撮像部１３と、無線ＬＡＮなどに用いる無線通信用のアンテナ１４とが設けられる。アンテナ１４は、上側外装部材１２の内側に配置される。
【００１８】
下側筐体２０には、ヒンジ部３０の閉状態で上側筐体１０と対向する面にトップカバー２１が設けられ、このトップカバー２１に、キーボード２３と、電源スイッチカバー２４と、クリックパッド４１とが設けられる。
なお、図１に示す構成は一例であり、撮像部１３やアンテナ１４などの位置はデザインや設計に応じて適宜定められてよい。また、例えばクリックパッド４１に替えて、タッチパッドとマウスボタンを備える構成であってもよい。
【００１９】
また、２つのヒンジ部３０ａ，３０ｂの内、電源スイッチカバー２４に近い側のヒンジ部３０ａにおける軸方向の外側側面には、図２に示すように、盗難防止用のワイヤ錠を接続して錠止するためのセキュリティスロット２５が開設される。
このため、下側筐体２０における電源スイッチカバー２４に近い側の側面には、機器外部から各種規格に応じたコネクタのケーブルを接続させるための外部用コネクタ４５（４５ａ〜４５ｃ）と、ディスクドライブ４６とが配置される。
【００２０】
図３、図４に、ノート型コンピュータ１００の内部構造を示す。図３は図１からトップカバー２１およびディスクドライブ４６を取り外した状態を示し、図４は図３のＣ部拡大図を示す。
【００２１】
上側筐体１０と下側筐体２０を連結する２つのヒンジ部３０ａ，３０ｂは、軸方向における上側筐体１０と下側筐体２０の両端に設けられる。そして、両端のヒンジ部３０ａ，３０ｂの間に、バッテリ４２が着脱可能に設けられ、バッテリ用コネクタ４３により下側筐体２０に接続されるように構成される。
このため、２つのヒンジ部３０ａ，３０ｂは、バッテリ４２よりも軸方向における外側に設けられ、バッテリ４２に隣接する位置に配置される。
【００２２】
また、下側筐体２０には、不図示のＣＰＵなど主要部品が実装されたマザーボード６０が配置される。このマザーボード６０に実装されたＣＰＵなどの電子部品が、不図示のＨＤＤなどに格納された所定のプログラムに基づいて処理を行うことにより、ノート型コンピュータ１００全体の制御を行う。
このことにより、マザーボード６０は、上側筐体１０の表示部１１における表示制御を行う表示制御手段として機能し、また、上側筐体１０の撮像部１３における撮像制御を行う撮像制御手段として機能し、さらに、上側筐体１０に内蔵されたアンテナ１４を用いて無線ＬＡＮなど所定の無線通信を行う無線通信制御手段として機能する。
なお、図３では、マザーボード６０に実装された一部の部品を省略して示す。
【００２３】
マザーボード６０の表面に実装された所定のコネクタには、上側筐体１０の表示部１１に接続される表示用ケーブル５１のコネクタ５１ａが差し込まれ、表示用ケーブル５１がマザーボード６０に接続される。
また、マザーボード６０の表面に実装された所定のコネクタには、上側筐体１０の撮像部１３に接続される撮像用ケーブル５２のコネクタ５２ａが差し込まれ、撮像用ケーブル５２がマザーボード６０に接続される。
また、マザーボード６０の底面側に設けられた不図示のコネクタにより、上側筐体１０のアンテナ１４に接続されるアンテナ用ケーブル５３がマザーボード６０に接続される。
【００２４】
こうして、上側筐体１０の表示部１１と、撮像部１３と、アンテナ１４とは、マザーボード６０に接続され、マザーボード６０は、表示部１１における表示制御と、撮像部１３における撮像制御と、アンテナ１４による無線通信制御とを行う。
【００２５】
ここで、アンテナ用ケーブル５３の外径は、撮像用ケーブル５２の外径よりも細く、その撮像用ケーブル５２の外径は、表示用ケーブル５１の外径よりも細い。
【００２６】
この表示用ケーブル５１および撮像用ケーブル５２は、マザーボード６０から、上述したセキュリティスロット２５が設けられるヒンジ部３０ａとは軸方向における反対側の端部に設けられたヒンジ部３０ｂを経由して、上側筐体１０における表示部１１および撮像部１３まで接続されるように敷設される。
【００２７】
また、アンテナ用ケーブル５３は、マザーボード６０から、上述したセキュリティスロット２５が設けられるヒンジ部３０ａを経由して、上側筐体１０におけるアンテナ１４まで接続されるように敷設される。
【００２８】
マザーボード６０よりも、ヒンジ部３０ａ，３０ｂの軸方向におけるヒンジ部３０ａ側には、図３に示すように、第１サブ基板６１が配置される。また、第１サブ基板６１よりも軸方向と垂直な方向におけるヒンジ部３０ａ側には、第２サブ基板６２が配置される。第１サブ基板６１および第２サブ基板６２は、不図示の配線部によりマザーボード６０に接続される。
【００２９】
第１サブ基板６１には、メモリ用コネクタ６３が設けられ、例えばＤＩＭＭ（Dual In-line Memory Module）などのメモリを挿抜可能に配置できるようになっている。また、機器の外側側面に向けて、所定規格のコネクタに対応する外部用コネクタ４５ｂ、４５ｃが設けられる。
【００３０】
第２サブ基板６２には、図４に示すように、電源スイッチカバー２４により押下される電源スイッチ６４が設けられると共に、機器の外側側面に向けて、所定規格のコネクタに対応する外部用コネクタ４５ａが設けられる。電源スイッチ６４は、ノート型コンピュータ１００の主電源のスイッチであり、設定に応じて主電源のＯＮ／ＯＦＦ操作等に用いられる。
【００３１】
このため、図３に示すように、上述したアンテナ用ケーブル５３は、第１サブ基板６１および第２サブ基板６２の位置を通過し、さらにヒンジ部３０ａを経由して、上側筐体１０におけるアンテナ１４まで接続されるように敷設される。
【００３２】
また、図３に示すように、下側筐体２０における、上述したセキュリティスロット２５が設けられるヒンジ部３０ａに対して軸方向における反対側の側面には、放熱ファン４７からの空気を機器外部に排出する排気口４８と、所定規格のコネクタに対応する外部用コネクタ４５（４５ｄ〜４５ｉ）が配置される。
【００３３】
このように、本実施形態のノート型コンピュータ１００では、セキュリティスロット２５がヒンジ部３０ａにおける軸方向の外側側面に設けられるため、下側筐体２０の側面スペースを、各種の規格に対応するための複数の外部用コネクタ４５（４５ａ〜４５ｉ）を備えるためのスペースや、ディスクドライブ４６を配置するためのスペースとして利用できるようになっている。
【００３４】
ヒンジ部３０ａ，３０ｂは、図４に示すように、上側筐体１０に連設された上側ヒンジ片３１と、下側筐体２０に連設された下側ヒンジ片３２とが回動可能に連結されて構成される。
【００３５】
上側ヒンジ片３１は、上側筐体１０に連設されて構造的強度を保持する上側接続片３３と、ヒンジ部３０の回動によるトルクを大きくするための抵抗部３４と、この上側接続片３３や抵抗部３４を被装する上側ヒンジ外装１２ａと、を備えて構成される。
上側ヒンジ外装１２ａは、表示部１１における表示面以外の上側筐体１０全体を被装する上側外装部材１２と一体として設けられ、上側筐体１０と下側筐体２０とを接続するケーブルを内側に通せるようになっている。
【００３６】
下側ヒンジ片３２は、下側筐体２０に連設されて構造的強度を保持する下側接続片３５と、ヒンジ部３０の回動によるトルクを大きくするための抵抗部３６と、を備えて構成される。また、下側ヒンジ片３２を被装するヒンジカバー２２が、トップカバー２１に嵌め込まれるよう設けられる。
【００３７】
このため、アンテナ用ケーブル５３は、図３〜図５に示すように、マザーボード６０から、ヒンジ部３０ａにおける下側ヒンジ片３２を被装するヒンジカバー２２と下側ヒンジ片３２との間を通過し、ヒンジ部３０ａにおける上側ヒンジ外装１２ａの内側を通って、上側筐体１０のアンテナ１４に接続される。
【００３８】
また、表示用ケーブル５１および撮像用ケーブル５２は、マザーボード６０から、ヒンジ部３０ｂにおける下側ヒンジ片３２を被装するヒンジカバー２２と下側ヒンジ片３２との間を通過し、ヒンジ部３０ｂにおける上側ヒンジ外装１２ａの内側を通って、上側筐体１０の表示部１１、撮像部１３に接続される。
【００３９】
ヒンジ部３０ａにおける軸方向の外側側面には、上述のように、セキュリティスロット２５が開設される。このため、図４、図５に示すように、ヒンジ部３０ａにおける上側ヒンジ片３１の外側側面には、例えば所定の金属など、高い剛性を有する材料で構成された錠止片３７が凸設され、固定部３８により固定される。固定部３８における固定は、例えばビス止めや溶接など、固定可能な任意の固定方法であってよい。
【００４０】
また、セキュリティスロット２５に取り付けられるワイヤ錠２００は、図５（Ａ）に示すように、シリンダ機構などの施錠機構を備えた錠本体２０２に、Ｌ字型の２つのフック２０１が先端をそれぞれ外側に向けた反対方向を向くように設けられると共に、ワイヤ部２０３を備える。
このことにより、ワイヤ錠２００のワイヤ部２０３を机にくくりつけるなどして取り外し不能とし、ワイヤ錠２００をセキュリティスロット２５に錠止することで、ノート型コンピュータ１００を持ち去り不能とするようになっている。
【００４１】
ここで、ヒンジ部３０ａにおける軸方向の外側側面には、錠止片３７および上側ヒンジ外装１２ａにセキュリティスロット２５の穴が開設される。このため、図５（Ａ）に示すようにワイヤ錠（施錠装置）２００が錠止される際、上側ヒンジ外装１２ａにおけるセキュリティスロット２５の穴から錠止片３７におけるセキュリティスロット２５の穴までフック２０１が差し込まれ、錠本体２０２への施錠操作によりフック２０１が回転されることで、ワイヤ錠２００を十分な強度によりノート型コンピュータ１００に固定できるようになっている。
【００４２】
以上のように、本実施形態のノート型コンピュータ１００では、図５（Ａ）（Ｂ）に示すように、セキュリティスロット２５が設けられるヒンジ部３０ａの側に、外径のより細いアンテナ用ケーブル５３のみを通し、軸方向における反対側のヒンジ部３０ｂに、外径のより太い表示用ケーブル５１および撮像用ケーブル５２を通すように構成している。
【００４３】
このため、セキュリティスロット２５をヒンジ部３０ａの外側側面に配置し、ヒンジ開閉の動作にも十分な信頼性を確保した構成でありながら、ヒンジ部３０ａ，３０ｂをさらに小型化できる構成となっている。
【００４４】
近年のノート型コンピュータにおける小型化に向けた開発競争の中では、さらなる小型化を実現しつつも、バッテリ４２はより大型化し、外部用コネクタ４５はより多く備えることが求められる。また、バッテリ４２は２つのヒンジ部３０ａ，３０ｂの間に配置される構成が一般的でもあり、スペース配分として望ましい。
【００４５】
このため、上述のように２つのヒンジ部３０ａ，３０ｂはバッテリ４２よりも軸方向における外側に配置されることとなる。このため、小型化に向けた開発のためには、ヒンジ部３０をより小型化しつつ、セキュリティスロット２５もヒンジ部３０に配置し、かつ、上側筐体１０と下側筐体２０とを接続するケーブルも十分な信頼性を確保して通せる構成とすることが求められる。
【００４６】
本実施形態によれば、上側筐体１０と下側筐体２０とを接続するケーブルを十分な信頼性で通し、開閉動作にも十分な空間をヒンジ部３０に確保できる構成でありながら、ノート型コンピュータ１００のさらなる小型化を実現することができる。
【００４７】
また、マザーボード６０から第１サブ基板６１および第２サブ基板６２を通過した位置に設けられるヒンジ部３０ａに、表示用ケーブル５１および撮像用ケーブル５２よりも外径の細いケーブルであるアンテナ用ケーブル５３を通すように配置しているため、下側筐体２０内部のスペースをより有効活用することができ、ケーブルの重量もより軽くすることができる。
【００４８】
なお、上述した各実施形態は本発明の好適な実施形態であり、本発明はこれに限定されることなく、本発明の技術的思想に基づいて種々変形して実施することが可能である。
【００４９】
例えば、上述した撮像部１３がさらにマイクを備えた構成であってもよい。この場合、マザーボード６０がそのマイクを制御する音声制御部としての機能をさらに備え、撮像用ケーブル５２が、撮像部１３およびマイクをマザーボード６０に接続させる構成となる。
【００５０】
また、ノート型コンピュータ１００が撮像部１３および撮像用ケーブル５２を備えていない構成であっても、本発明は同様に実現することができる。
【００５１】
また、トップカバー２１とヒンジカバー２２は上述のように別体であってもよく、一体であってもよい。一体である場合、その一体とされたトップカバーにおける下側ヒンジ片３２を被装する外装部分が、上述した実施形態におけるヒンジカバー２２に対応する構成とすることで、上述した実施形態を同様に実現することができ、同様の効果を得ることができる。
【符号の説明】
【００５２】
１００    ノート型コンピュータ（電子機器）
２００    ワイヤ錠（施錠装置）
２０１    フック
２０２    錠本体
２０３    ワイヤ部
１０    上側筐体
１１    表示部
１２    上側外装部材
１２ａ    上側ヒンジ外装
１３    撮像部
１４    アンテナ
２０    下側筐体
２１    トップカバー
２２    ヒンジカバー（下側外装部材）
２３    キーボード
２４    電源スイッチカバー
２５    セキュリティスロット
３０ａ、３０ｂ    ヒンジ部
３１    上側ヒンジ片
３２    下側ヒンジ片
３３    上側接続片
３４    上側抵抗部
３５    下側接続片
３６    下側抵抗部
３７    錠止片
３８    固定部
４１    クリックパッド
４２    バッテリ
４３    バッテリ用コネクタ
４５    外部用コネクタ
４６    ディスクドライブ
４７    放熱ファン
４８    排気口
５１    表示用ケーブル
５２    撮像用ケーブル
５３    アンテナ用ケーブル
５１ａ，５２ａ，５３ａ    コネクタ
６０    マザーボード（表示制御手段、撮像制御手段、無線通信制御手段）
６１    第１サブ基板
６２    第２サブ基板
６３    メモリ用コネクタ
６４    電源スイッチ
【図１】
2014085970.tif 000003
【図２】
2014085970.tif 000004
【図３】
2014085970.tif 000005
【図４】
2014085970.tif 000006
【図５】
2014085970.tif 000007